(57)【特許請求の範囲】
【請求項１】
揚重物が接続された線材をジャッキで引き上げることにより前記揚重物を揚重するジャッキ式のリフトアップ装置に対して設置され、前記線材を降下させる装置であって、
前記線材の前記揚重物との接続部から延びる線材延長部と、
前記リフトアップ装置により引き上げられる前記線材に前記線材延長部を追従させる一方、前記線材延長部を引き下げることにより前記線材を降下させる降下機構と、
を備え、
前記線材と前記線材延長部とにより環状に構成されており、
前記リフトアップ装置の上側に配され、前記リフトアップ装置から上方へ延びる前記線材を下方に折り返すように案内するガイドを備えるリフトアップ装置の線材の降下装置。
【請求項２】
揚重物が接続された線材をジャッキで引き上げることにより前記揚重物を揚重するジャッキ式のリフトアップ装置に対して設置され、前記線材を降下させる装置であって、
前記線材の前記揚重物との接続部から延びる線材延長部と、
前記リフトアップ装置により引き上げられる前記線材に前記線材延長部を追従させる一方、前記線材延長部を引き下げることにより前記線材を降下させる降下機構と、
を備え、
前記降下機構は、
前記線材延長部を巻き上げることにより引き下げ、前記線材延長部を送り出すことにより前記線材に追従させる巻上装置と、
前記巻上装置と前記接続部との間の前記線材延長部が掛けられた複数の定滑車と、
一対の前記定滑車の間に上下動可能に配され、前記線材延長部を介して前記一対の定滑車に吊持される動滑車と、
前記動滑車に支持された錘と、
を備えるリフトアップ装置の線材の降下装置。
【請求項３】
揚重物が接続された線材をジャッキで引き上げることにより前記揚重物を揚重するリフトアップ工法において、前記線材を降下させる方法であって、
前記線材の前記揚重物との接続部から延びる線材延長部を、前記線材と前記線材延長部とにより環状に構成されるように設け、前記ジャッキの上側に配されたガイドにより、前記ジャッキから上方へ延びる前記線材を下方に折り返すように案内し、前記リフトアップ工法において引き上げられる前記線材に前記線材延長部を追従させる一方、前記線材延長部を引き下げることにより前記線材を降下させるリフトアップ工法における線材の降下方法。
【発明の詳細な説明】
【技術分野】
【０００１】
本発明は、ジャッキ式のリフトアップ装置の線材を降下させる装置、及び、リフトアップ工法において線材を降下させる方法に関する。
【背景技術】
【０００２】
近年の建設工事では、地上付近で組立てた大重量の構築物を一括して吊り上げる工法や、構築物を組立てながら高い揚程を吊り上げていく工法等が採用されており、これらの工法ではジャッキ式の吊り上げ機械（リフトアップ装置）が用いられている（例えば、非特許文献１参照）。ジャッキ式のリフトアップ装置は、ＰＣ鋼線等の線材を締め付けることにより保持する上下の保持機構（くさび）と、その間や周りに配される油圧ジャッキとを備えており、ジャッキを伸縮させて上下の保持機構を交互に開閉させることにより、油圧ジャッキのストロークの量ずつ線材を引き上げていき、揚重物を揚重する。
【先行技術文献】
【非特許文献】
【０００３】
【非特許文献１】労働省労働基準局安全衛生部建設安全対策室  監修，「ジャッキ式つり上げ機械  運転者必携」，平成１２年１月２１日初版発行，建設業労働災害防止協会  編集・発行
【発明の概要】
【発明が解決しようとする課題】
【０００４】
ところで、従来のジャッキ式のリフトアップ装置では、線材を油圧ジャッキのストロークの量ずつ引き上げて揚重物を揚重したり、油圧ジャッキのストロークの量ずつ揚重物を降下させたりする機構があるのみで、揚重物が接続されていない状態の線材を素早く降下させる機構は存在しない。このため、揚重を繰返す場合には作業に手間がかかる。
【０００５】
本発明は、上記事情に鑑みてなされたものであり、ジャッキ式のリフトアップ装置により揚重を繰返す作業の作業性を向上させることを課題にするものである。
【課題を解決するための手段】
【０００６】
上記課題を解決するために、本発明に係るリフトアップ装置の線材の降下装置は、揚重物が接続された線材をジャッキで引き上げることにより前記揚重物を揚重するジャッキ式のリフトアップ装置に対して設置され、前記線材を降下させる装置であって、前記線材の前記揚重物との接続部から延びる線材延長部と、前記リフトアップ装置により引き上げられる前記線材に前記線材延長部を追従させる一方、前記線材延長部を引き下げることにより前記線材を降下させる降下機構とを備え、前記線材と前記線材延長部とにより環状に構成されており、前記リフトアップ装置の上側に配され、前記リフトアップ装置から上方へ延びる前記線材を下方に折り返すように案内するガイドを備える。
【０００８】
また、本発明は、揚重物が接続された線材をジャッキで引き上げることにより前記揚重物を揚重するジャッキ式のリフトアップ装置に対して設置され、前記線材を降下させる装置であって、前記線材の前記揚重物との接続部から延びる線材延長部と、前記リフトアップ装置により引き上げられる前記線材に前記線材延長部を追従させる一方、前記線材延長部を引き下げることにより前記線材を降下させる降下機構と、を備え、前記降下機構は、前記線材延長部を巻き上げることにより引き下げ、前記線材延長部を送り出すことにより前記線材に追従させる巻上装置と、前記巻上装置と前記接続部との間の前記線材延長部が掛けられた複数の定滑車と、一対の前記定滑車の間に上下動可能に配され、前記線材延長部を介して前記一対の定滑車に吊持される動滑車と、前記動滑車に支持された錘とを備える。
【００１０】
また、本発明に係るリフトアップ工法における線材の降下方法は、揚重物が接続された線材をジャッキで引き上げることにより前記揚重物を揚重するリフトアップ工法において、前記線材を降下させる方法であって、前記線材の前記揚重物との接続部から延びる線材延長部を、前記線材と前記線材延長部とにより環状に構成されるように設け、前記ジャッキの上側に配されたガイドにより、前記ジャッキから上方へ延びる前記線材を下方に折り返すように案内し、前記リフトアップ工法において引き上げられる前記線材に前記線材延長部を追従させる一方、前記線材延長部を引き下げることにより前記線材を降下させる。
【発明の効果】
【００１１】
本発明に係るジャッキ式のリフトアップ装置によれば、ジャッキ式のリフトアップ装置により揚重を繰返す作業の作業性を向上させることができる。
【図面の簡単な説明】
【００１２】
【図１】一実施形態に係るジャッキ式のリフトアップ装置及び降下装置を示す立面図である。
【図２】リフトアップ装置を拡大して示す立面図である。
【図３】降下機構を拡大して示す立面図である。
【図４】柱の底部を示す平面図である。
【図５】柱の内部に階段を設置する手順を示す図である。
【図６】柱の内部に階段を設置する手順を示す図である。
【図７】階段ユニットを揚重している状態を示す立面図である。
【図８】ＰＣ鋼線を降下させている状態を示す立面図である。
【発明を実施するための形態】
【００１３】
以下、本発明の一実施形態を、図面を参照しながら説明する。図１は、一実施形態に係るジャッキ式のリフトアップ装置１００及び降下装置１０を示す立面図である。この図に示すように、リフトアップ装置１００は、ＰＣ鋼線１０２を介して揚重物を揚重するジャッキ式の吊り上げ機械である。また、降下装置１０は、リフトアップ装置１００による揚重が完了した後に、ＰＣ鋼線１０２を降下させる装置であり、ＰＣ鋼線１０２に結合されたモノロープ１２をウインチ１６により巻き上げることによりＰＣ鋼線１０２を降下させる。
【００１４】
図２は、リフトアップ装置１００を拡大して示す立面図である。この図に示すように、リフトアップ装置１００は、上下の定着機構１０４（下側は不図示）と、その周囲に配された複数の油圧ジャッキ１０６とを備えている。このリフトアップ装置１００は、油圧ジャッキ１０６としてラム作動ジャッキとシリンダ作動ジャッキとが併設されたダブルツインジャッキ（登録商標）であり、ラム作動ジャッキとシリンダ作動ジャッキとの一方が作動している間に他方が反転戻し動作を行うことで、連続稼動が可能となっている。
【００１５】
リフトアップ装置１００では、ラム作動ジャッキとシリンダ作動ジャッキとの一方が作動（上昇）すると、上側の定着機構１０４が楔作用によりＰＣ鋼線１０２を把持した状態で上昇することにより、ＰＣ鋼線１０２が引き上げられる。この際、ラム作動ジャッキとシリンダ作動ジャッキとの他方は下降している。そして、ラム作動ジャッキとシリンダ作動ジャッキとの他方が作動（上昇）し、上昇していた一方が下降することにより、一旦、下側の定着機構１０４が楔作用によりＰＣ鋼線１０２を把持した後、即座に、上側の定着機構１０４が楔作用によりＰＣ鋼線１０２を把持した状態で上昇することにより、ＰＣ鋼線１０２が引き上げられる。以上の動作が繰返されることにより、ＰＣ鋼線１０２に接続された被揚重物が連続的に揚重されていく。なお、リフトアップ装置１００として、ダブルツインジャッキを用いることは必須ではなく、ラム作動ジャッキとシリンダ作動ジャッキとの一方のみを備えるリフトアップ装置を用いてもよい。
【００１６】
リフトアップ装置１００は、高層建築物内の円筒形状の柱１（図４参照）内に階段を設置するために使用されるものであり、ＰＣ鋼線１０２の一端には、階段ユニット５（図４参照）を取り付けるための階段吊具１０８が取り付けられている。また、リフトアップ装置１００は、柱１の上部に設置された架台１１０上のジャッキ受梁１１２に固定されており、架台１１０には、半円状のガイド金物１８が設置されている。このガイド金物１８には、ＰＣ鋼線１０２の他端側が巻き掛けられており、ＰＣ鋼線１０２の他端側は、ガイド金物１８により下方に折り返されている。
【００１７】
図１に示すように、降下装置１０は、ＰＣ鋼線１０２の他端に一端が結合されたモノロープ１２と、モノロープ１２を引き下げたりＰＣ鋼線１０２に追従させたりする降下機構１１と、上記ガイド金物１８とを備えている。降下機構１１は、階段吊具１０８の下部に揺動可能に支持されモノロープ１２の他端が取り付けられたチェーンブロック１４と、柱１内の底面に設置され、モノロープ１２を巻き上げるウインチ１６と、柱１内の底面に設置され、ウインチ１６とチェーンブロック１４との間のモノロープ１２の長さや張力を調整する調整機構２０とを備えている。
【００１８】
ここで、ＰＣ鋼線１０２の一端に階段吊具１０８及びチェーンブロック１４を介してモノロープ１２の他端が取り付けられ、ＰＣ鋼線１０２の他端にモノロープ１２の一端が結合されることにより、ＰＣ鋼線１０２とモノロープ１２とによりループ状（環状）の線材が形成されている。
【００１９】
チェーンブロック１４は、チェーン１４Ａに取り付けられたフック１４Ｂを、チェーン１４Ａを伸縮させることにより昇降させる。このフック１４Ｂにモノロープ１２の他端が取り付けられており、フック１４Ｂが昇降することによりモノロープ１２の他端の位置が上下する。
【００２０】
ウインチ１６と調整機構２０とは、柱１内の底面に固定されたＨ鋼１９上に設置されている。Ｈ鋼１９は、ガイド金物１８の鉛直下方に設置されており、Ｈ鋼１９の長手方向一端がリフトアップ装置１００の鉛直下方に位置し、Ｈ鋼１９の長手方向他端がＰＣ鋼線１０２とモノロープ１２との結合部１２Ａの直下に位置する。そして、ウインチ１６は、Ｈ鋼１９の長手方向他端部に設置されており、ウインチ１６のドラムにモノロープ１２が巻き付けられている。また、Ｈ鋼１９の長手方向一端部には、シーブ２１が設置されており、モノロープ１２が巻き掛けられている。
【００２１】
図３は、降下機構１１を拡大して示す立面図である。この図に示すように、調整機構２０は、ウインチ１６とシーブ２１との間に設置された縦長の長方形状のフレーム２２と、フレーム２２の上部に設置された左右一対の定滑車であるシーブ２４と、左右一対のシーブ２４の間の下側に配された動滑車であるシーブ２６とを備えている。左右一対のシーブ２４とその間のシーブ２６とにはモノロープ１２が巻き掛けられており、シーブ２６は、モノロープ１２を介して左右一対のシーブ２４から吊り下げられた状態になっている。
【００２２】
また、調整機構２０は、シーブ２６から吊り下げられたウエイト２８と、ウエイト２８の上下動をガイドする左右一対のガイドバー２９とを備えている。ウエイト２８は、シーブ２６の下部に設けられたフック２８Ａからロープ２８Ｂで吊り下げられている。また、ウエイト２８には、左右一対のガイドバー２９を貫通させるための孔が空けられており、左右一対のガイドバー２９は、フレーム２２の上下に固定されている。即ち、シーブ２６及びウエイト２８は、モノロープ１２を介して左右一対のシーブ２４に昇降可能に吊持されており、モノロープ１２の張力に応じて昇降する。
【００２３】
図４は、柱１の底部を示す平面図である。この図に示すように、柱１の内壁と揚重される階段ユニット５との間には、図中上下左右の４箇所にかまぼこ型の空間が存在し、図中上下の空間には、夫々、一対の降下装置１０が設置されている。この一対の降下装置１０は、図中左右に反転して配されており、各降下装置１０に対応してリフトアップ装置１００が設置されている。
【００２４】
図５及び図６は、柱１の内部に階段２を設置する手順を示す図である。これらの図に示すように、階段２は、階段ユニット５を繋ぎ合わせることにより構築する。そのために、まず、図４に示すように、柱１内の下部で階段ユニット５を組み立てる。その際、柱１内の下部に設置した壁クレーン３で階段ユニット５を吊り上げた状態で行う。そして、図５に示すように、柱１内の上部に設置したリフトアップ装置１００で、ＰＣ鋼線１０２を介して階段ユニット５を揚重することによりリフトアップする。そして、階段ユニット５を柱１の内壁に固定する。以上の工程を繰返すことにより、階段２を下へ下へと伸ばしていく。即ち、柱１内に階段２を設置するために、階段ユニット５の揚重を繰返す。
【００２５】
図７は、階段ユニット５（図示省略）を揚重している状態を示す立面図であり、図８は、ＰＣ鋼線１０２を降下させている状態を示す立面図である。図７に示すように、階段ユニット５の揚重の開始する際には、まず、チェーンブロック１４のフック１４Ｂを下降させることにより、モノロープ１２の張力を開放する。この際、ウエイト２８は下限位置まで下降する。そして、リフトアップ装置１００による階段ユニット５の揚重を開始する。
【００２６】
この際、モノロープ１２のＰＣ鋼線１０２との結合部からウインチ１６までの間の部分には余長があるのに対し、モノロープ１２のウインチ１６からチェーンブロック１４までの間の部分には余長が無い。そのため、ウインチ１６でモノロープ１２を揚重に追従する方向へ送出しない場合には、モノロープ１２のウインチ１６からチェーンブロック１４までの間の部分の張力が上昇し、これにより、ウエイト２８は上限位置まで上昇する。この状態で、モノロープ１２をＰＣ鋼線１０２に追従させずにリフトアップ装置１００による揚重を継続することはできないため、ウインチ１６によりモノロープ１２をＰＣ鋼線１０２に追従するように送出しながら、リフトアップ装置１００による階段ユニット５の揚重を行う。この際、ウエイト２８によりモノロープ１２の張力が調整される。なお、リフトアップ装置１００は、１ｍ／ｍｉｎの速度でＰＣ鋼線１０２を引き上げるのに対し、ウインチ１６は、９．５ｍ／ｍｉｎの速度でモノロープ１２を送出する。
【００２７】
そして、図８に示すように、リフトアップ装置１００による階段ユニット５の揚重が完了すると、チェーンブロック１４のフック１４Ｂを上昇させることにより、モノロープ１２に張力を導入する。そして、階段ユニット５を階段吊具１０８から取り外した後、リフトアップ装置１００によるＰＣ鋼線１０２の把持を開放し、ウインチ１６でモノロープ１２を巻き上げることにより階段吊具１０８及びＰＣ鋼線１０２を降下させる。
【００２８】
以上説明したように、本実施形態に係る降下装置１０によれば、リフトアップ装置１００による階段ユニット５の揚重が完了した後、速やかにＰＣ鋼線１０２を降下させることができる。また、リフトアップ装置１００により引き上げられるＰＣ鋼線１０２に対してモノロープ１２を追従させることができるため、リフトアップ装置１００による階段ユニット５の揚重が阻害されることもない。従って、ジャッキ式のリフトアップ装置１００による階段ユニット５の揚重を繰返す作業の作業性を向上させることができ、柱１内に階段２を設置する作業に要する時間や手間を低減することができる。
【００２９】
また、本実施形態に係る降下装置１０では、ＰＣ鋼線１０２とモノロープ１２とにより環状の線材を構成し、リフトアップ装置１００の上方でＰＣ鋼線１０２を下方へ折り返すガイド金物１８を設けたことにより、リフトアップ装置１００の近傍でＰＣ鋼線１０２を巻き取るリールや、ウインチ１６の近傍でモノロープ１２を巻き取るリール等を不要にすることができ、降下装置１０の構成を簡素化でき、装置のコストを低減できる。
【００３０】
また、図３に示すように、本実施形態に係る降下装置１０では、ウインチ１６とチェーンブロック１４との間に、一対の定滑車であるシーブ２４とその間で上下動可能な動滑車であるシーブ２６と、シーブ２６に吊持されたウエイト２８とを備える調整機構２０を設置した。当該調整機構２０によれば、シーブ２４、２６に掛けられたモノロープ１２の張力が上がれば、シーブ２６及びウエイト２８が上昇し、該張力が下がれば、シーブ２６及びウエイト２８が降下する。これにより、ウインチ１６とチェーンブロック１４との間において、モノロープ１２の張力が過剰に上下変動することを抑制でき、モノロープ１２の張力を好適に制御することができる。
【００３１】
また、図７及び図８に示すように、本実施形態に係る降下装置１０では、ＰＣ鋼線１０２とモノロープ１２とを、チェーンブロック１４により、相対距離を可変に接続することで、ＰＣ鋼線１０２とウインチ１６との間のモノロープ１２の張力を調整可能としている。これにより、リフトアップ装置１００により揚重を開始する際にはモノロープ１２の張力を抜くことで、揚重に支障がないようにし、ＰＣ鋼線１０２を降下させる際にはモノロープ１２に張力を導入することで、モノロープ１２からＰＣ鋼線１０２に力が伝わりモノロープ１２が引き下げられるようにすることができる。
【００３２】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、ＰＣ鋼線１０２に階段吊具１０８及びチェーンブロック１４を介してモノロープ１２を接続することで、ＰＣ鋼線１０２の揚重物との接合部から延伸する線材延伸部を設けたが、ＰＣ鋼線１０２自体を揚重物との接合部から延伸させることで線材延伸部を設けてもよい。また、ＰＣ鋼線１０２の両端とモノロープ１２との両端とを階段吊具１０８及びチェーンブロック１４を介して接続することで、ＰＣ鋼線１０２とモノロープ１２とで環状の線材を構成したが、ＰＣ鋼線１０２の両端を階段吊具１０８及びチェーンブロック１４を介して接続することで、ＰＣ鋼線１０２のみで環状の線材を構成してもよい。また、線材延伸部をモノロープ１２とすることは必須ではなく、ワイヤー等の他の線材にしてもよい。
【００３３】
また、上述の実施形態では、リフトアップ装置１００による揚重時に、ウインチ１６でモノロープ１２を送り出すことによりモノロープ１２をＰＣ鋼線１０２に追従させたが、ウインチ１６にクラッチを設けて該クラッチを切った状態にすることによりモノロープ１２がＰＣ鋼線１０２に対して追従するようにしてもよい。また、チェーンブロック１４を設けることは必須ではない。
【００３４】
さらに、上述の実施形態では、円筒状の柱１の内部で階段２を組み立てるのに使用するリフトアップ装置１００のＰＣ鋼線１０２の降下装置１０を例に挙げて本発明を説明したが、本発明に係る降下装置の用途はこれに限られるものではない。
【符号の説明】
【００３５】
１  柱、２  階段、３  壁クレーン、５  階段ユニット（揚重物）、１０  降下装置、１１  降下機構、１２  モノロープ（線材延長部）、１４  チェーンブロック（張力調整機構）、１４Ａ  チェーン、１４Ｂ  フック、１６  ウインチ（巻上装置）、１８  ガイド金物（ガイド）、１９  Ｈ鋼、２０  調整機構、２１  シーブ、２２  フレーム、２４  シーブ（定滑車）、２６  シーブ（動滑車）、２８  ウエイト（錘）、２８Ａ  フック、２８Ｂ  ロープ、２９  ガイドバー、１００  リフトアップ装置、１０２  ＰＣ鋼線、１０４  定着機構、１０６  油圧ジャッキ、１０８  階段吊具（接続部）、１１０  架台、１１２  ジャッキ受梁
【図１】
0005884467.tif 000002
【図２】
0005884467.tif 000003
【図３】
0005884467.tif 000004
【図４】
0005884467.tif 000005
【図５】
0005884467.tif 000006
【図６】
0005884467.tif 000007
【図７】
0005884467.tif 000008
【図８】
0005884467.tif 000009